(57)【特許請求の範囲】
【請求項１】
架台１に棚構成部材２を設けた棚式のパレットであって、
前記棚構成部材２は、長手方向に間隔を置いて複数の棚材２２を設けた第１支柱２０と、長手方向に間隔を置いて複数の棚材２２を設けた第２支柱２１を有し、
前記第１支柱２０の基部と第２支柱２１の基部は架台１に上下揺動自在にそれぞれ連結され、
この第１支柱２０の先端部と第２支柱２１の先端部に亘って、第１支柱２０と第２支柱２１を略山形状に連結、分離する連結機構３３を設け、
前記第１支柱２０の先端部と第２支柱２１の先端部を連結機構３３で連結することで、その第１支柱２０と第２支柱２１は略山形状に架台１に支持され、
前記第１支柱２０の先端部と第２支柱２１の先端部を分離することで、その第１支柱２０と第２支柱２１を略水平姿勢として架台１に収納されるようにしたことを特徴とする棚式のパレット。
【請求項２】
第１支柱２０の先端部に設けたピン３１と、第２支柱２１の先端部に設けられ前記ピン３１と嵌合、離脱自在なフック３２で連結機構３３とした請求項１記載の棚式のパレット。
【請求項３】
架台１に棚構成部材２を設けた棚式のパレットであって、
前記棚構成部材２は、長手方向に間隔を置いて複数の棚材２２を備えた第１支柱２０と、長手方向に間隔を置いて複数の棚材２２を備えた第２支柱２１を有し、
前記第１支柱２０の先端部と第２支柱２１の先端部を折曲自在に連結し、その第１支柱２０の基部を架台１に上下揺動自在に連結すると共に、第２支柱２１の基部を架台１に係脱自在とし、且つ係止することで第１支柱２０と第２支柱２１が略山形状に架台１に支持され、その第２支柱２１の基部を架台１から離脱することで前記第１支柱２０と第２支柱２１は略水平姿勢として架台１に収納されるようにしたことを特徴とする棚式のパレット。
【発明の詳細な説明】
【０００１】
【発明の属する技術分野】
本発明は、サッシ枠を形成する上枠、下枠、縦枠や障子を形成する上框、下框、召合せ框、戸当り框などのサッシ形材を運搬する棚式のパレットに関する。
【０００２】
【従来の技術】
サッシ枠、障子を形成するサッシ形材を工場等で製作し、そのサッシ形材を施工現場まで運搬し、施工現場でサッシ枠、障子を組み立てることが行なわれている。
例えば、複数のサッシ形材を段ボール箱で梱包し、その梱包した段ボール箱をパレットに重ね合せて載置する。このパレットをトラックなどで施工現場まで運搬する。
【０００３】
【発明が解決しようとする課題】
前述のように段ボール箱をパレットに重ね合せて載置すると、任意のものがすぐに取り出せない。取り出す順番に段重ねをすると積載に時間も手間もかかる。
このことを防止するために、本発明者等は架台に複数の棚を取付けた棚式のパレットを開発した。
この棚式のパレットであれば、サッシ形材を梱包した段ボール箱を各棚毎に載置して運搬できるので、任意のものをすぐに取り出しできる。
【０００４】
施工現場まで運搬し、段ボール箱を荷卸しした空のパレットは再びトラック等で工場等に運搬する。
工場等に運搬した空のパレットを保管し、サッシ形材を運搬する時に再使用する。
【０００５】
このために、前述の棚式のパレットであると空のパレットを工場等に運搬する際に棚のために大きな積み込みスペースを必要とするので、空のパレットの運搬効率が悪い。
また、空のパレットを保管する場合にも棚のために大きな保管スペースが必要である。
【０００６】
このことを解消するために本発明者等は、架台に棚を着脱自在に取付けた棚式のパレットを開発した。
この棚式のパレットであれば、空の時に棚を取り外すことができるので、空のパレットの運搬効率を向上できるし、空のパレットの保管スペースを小さくできる。
【０００７】
しかしながら、前述の棚式のパレットであると棚を架台に取り付けたり、取り外したりする作業が面倒であるし、取り外した棚を紛失する恐れがあり、十分に満足できるパレットではない。
【０００８】
そこで、本発明は前述の課題を解決できるようにした棚式のパレットを提供することを目的とする。
【０００９】
【課題を解決するための手段】
第１の発明は、架台１に棚構成部材２を設けた棚式のパレットであって、
前記棚構成部材２は、長手方向に間隔を置いて複数の棚材２２を設けた第１支柱２０と、長手方向に間隔を置いて複数の棚材２２を設けた第２支柱２１を有し、
前記第１支柱２０の基部と第２支柱２１の基部は架台１に上下揺動自在にそれぞれ連結され、
この第１支柱２０の先端部と第２支柱２１の先端部に亘って、第１支柱２０と第２支柱２１を略山形状に連結、分離する連結機構３３を設け、
前記第１支柱２０の先端部と第２支柱２１の先端部を連結機構３３で連結することで、その第１支柱２０と第２支柱２１は略山形状に架台１に支持され、
前記第１支柱２０の先端部と第２支柱２１の先端部を分離することで、その第１支柱２０と第２支柱２１を略水平姿勢として架台１に収納されるようにしたことを特徴とする棚式のパレットである。
【００１１】
第２の発明は、第１の発明において第１支柱２０の先端部に設けたピン３１と、第２支柱２１の先端部に設けられ前記ピン３１と嵌合、離脱自在なフック３２で連結機構３３とした棚式のパレットである。
【００１２】
第３の発明は、架台１に棚構成部材２を設けた棚式のパレットであって、
前記棚構成部材２は、長手方向に間隔を置いて複数の棚材２２を備えた第１支柱２０と、長手方向に間隔を置いて複数の棚材２２を備えた第２支柱２１を有し、
前記第１支柱２０の先端部と第２支柱２１の先端部を折曲自在に連結し、その第１支柱２０の基部を架台１に上下揺動自在に連結すると共に、第２支柱２１の基部を架台１に係脱自在とし、且つ係止することで第１支柱２０と第２支柱２１が略山形状に架台１に支持され、その第２支柱２１の基部を架台１から離脱することで前記第１支柱２０と第２支柱２１は略水平姿勢として架台１に収納されるようにしたことを特徴とする棚式のパレットである。
【００１３】
【作用】
第１の発明によれば、連結機構３３で第１支柱２０の先端部と第２支柱２１の先端部を連結することで、その第１・第２支柱２０，２１を略山形状に架台１に支持することができ、第１・第２支柱２０，２１の棚材２２で上下方向に間隔を置いた複数の棚を有するパレットとなる。
このようであるから、各棚に複数のサッシ形材をそれぞれ載置してパレットとともに運搬できる。
また、第１支柱２０の先端部と第２支柱２１の先端部を分離すれば、第１・第２支柱２０，２１を略水平姿勢として架台１に収納することができ、その棚が邪魔にならずに複数のパレットを重ね合せることができる。
このようであるから、空のパレットの運搬効率が向上すると共に、保管スペースを小さくできる。
また、連結機構３３で連結、分離すると共に、第１支柱２０と第２支柱２１を上下に揺動することで略山形状と収納状態にできるので、操作が容易であるし、第１・第２支柱２０，２１、棚材２２が架台１から分離することがなく、それらを紛失することがない。
【００１５】
第２の発明によれば、ピン３１とフック３２を嵌合、離脱する簡単な操作で第１支柱２０の先端部と第２支柱２１の先端部を連結、分離できる。
【００１６】
第３の発明によれば、第２支柱２１の基部を架台１に係止すれば第１支柱２０と第２支柱２１を略山形状に架台１に支持することができ、第１・第２支柱２０，２１の棚材２２で上下方向に間隔を置いた複数の棚を有するパレットとなる。
このようであるから、各棚に複数のサッシ形材をそれぞれ載置してパレットと共に運搬できる。
また、第２支柱２１の基部を架台１から離脱することで、第２支柱２１を第１支柱２０に重ね合せ、第１・第２支柱２０，２１を下方に揺動して第１・第２支柱２０，２１を略水平姿勢として架台１に収納することができ、その棚が邪魔にならずに複数のパレットを重ね合せることができる。
このようであるから、空のパレットの運搬効率が向上すると共に、保管スペースを小さくできる。
また、第２支柱２１の基部を架台１に係脱し、第１支柱２０と第２支柱２１を上下に揺動することで略山形状と収納状態にできるので、操作が容易であるし、第１・第２支柱２０，２１、棚材２２が架台１から分離することがなく、それらを紛失することがない。
【００１７】
【発明の実施の形態】
本発明の第１の実施の形態を説明する。
図１、図２、図３に示すように、架台１に一対の棚構成部材２を設けて棚式のパレット３を形成している。
前記架台１は、相対向した一対の第１横材１０と相対向した一対の第２横材１１で矩形枠形状である。
前記第１横材１０が長尺で左右方向（図３のａ方向）に向い、第２横材１１が短尺で前後方向（図３のｂ方向）に向っている。これによって架台１は左右方向寸法が前後方向寸法よりも長い矩形（長方形）枠形状である。
前記第１横材１０、第２横材１１は横片１０ａ，１１ａと縦片１０ｂ，１１ｂで断面Ｌ字形状で、その横片１０ａ，１１ａが内方となるように連結してある。
【００１８】
前記棚構成部材２は、第１支柱２０と第２支柱２１を有し、その第１支柱２０の基部が架台１の左右方向中間部における前後方向中央部に上下揺動自在に連結される。第２支柱２１の基部が架台１の左右方向端部における前後方向中央部に上下揺動自在に連結される。
前記第１支柱２０の先端部と第２支柱２１の先端部が略山形状となるように着脱自在に連結される。
前記第１支柱２０と第２支柱２１には棒状の棚材２２が長手方向に間隔を置いて前後方向に向けて略水平にそれぞれ設けてある。
前記各棚材２２の上面は平坦面で、左右側面には紐引掛部２３が長手方向に間隔をおいてそれぞれ設けてある。
【００１９】
このようであるから、第１支柱２０と第２支柱２１の先端部を連結することで山形状に架台１に支持され、第１支柱２０の各棚材２２と第２支柱２１の各棚材２２が同一高さで相対向することで上下方向に間隔を置いて複数の棚を形成する。
【００２０】
したがって、結束した複数の長尺なサッシ形材を下方の対向した２つの棚材２２間に跨って載置でき、結束した複数の短尺なサッシ形材を上方の対向した２つの棚材２２間に跨って載置できる。
また、一対の棚構成部材２を左右方向に間隔を置いて有するので、結束した複数のより長尺なサッシ形材を下方の対向した４つの棚材２２間に載置できる。
【００２１】
前述のように、棚材２２を載置した結束した複数のサッシ形材は、ゴムなどの伸縮する紐状体を紐引掛部２３に引掛けながらサッシ形材と棚材２２に巻きつけることで締結される。
これによって、サッシ形材は棚材２２の上面にしっかりと押しつけて固定されるので、運搬中の振動などでサッシ形材ががたついたり、落下することがない。
なお、棚材２２の上面にゴム、軟質樹脂などのクッション材を設けても良い。
【００２２】
また、第１支柱２０の先端部と第２支柱２１の先端部を分離することで第１支柱２０、第２支柱２１を下方に揺動して架台１に折り畳んで略水平姿勢として収納できるから、空のパレットを運搬、保管する場合に複数のパレットを重ね合せることができる。
【００２３】
次に具体形状を説明する。
前記一対の横材１０の長手方向中間部にブラケット２４が設けてある。このブラケット２４は横材１０と別体でも良いし、縦片１０ｂと連結して一体的でも良い。このブラケット２４の穴間に亘って第１軸２５が回転自在に横架支承され、カラー２６を固着して抜け止めする。この第１軸２５の長手方向中間部に第１支柱２０の基部が固着されて第１支柱２０は架台１に上下揺動自在に取付けられる。
前記一対の横材１０（縦片１０ｂ）の長手方向端部の穴に亘って第２軸２７が回転自在に横架支承され、カラー２８を固着して抜け止めする。この第２軸２７の長手方向中間部に第２支柱２１の基部が固着されて第２支柱２１は架台１に上下揺動自在に取付けられる。
【００２４】
前記第１軸２５の中心（第１支柱２０の揺動中心）は第２軸２７の中心（第２支柱２１の揺動中心）よりも所定寸法だけ高い。例えば、第２支柱２１の左右寸法と略同一寸法高い。
これによって、第２支柱２１を下方に揺動して棚材２２を第１横材１０の横片１０ａに接して水平姿勢とし、この状態で第１支柱２０を下方に揺動することで第２支柱２１に接して第１支柱２０が水平姿勢となる。
したがって、第１・第２支柱２０，２１をコンパクトで低い高さに折り畳んで収納できる。
なお、第１軸２５が第２軸２７よりも高い位置であるので、第２支柱２１の最下部の棚材２２を第１軸２５と同一高さとし、その第１軸２５を第１支柱２０の最下部棚材２２としてある。このために第１軸２５に紐引掛部２３が設けてある。
【００２５】
前記第１支柱２０は矩形断面中空形状で、その先端部における第２支柱２１と対向する面２０ａにスリット３０が形成され、かつこのスリット３０を跨ぐようにピン３１が固着してある。
前記第２支柱２１の先端面にフック３２が固着してあり、このフック３２が前記スリット３０に入り込むことでピン３１に嵌合することで第１支柱２０の先端部と第２支柱２１の先端部が係止される。
これによって、第１支柱２０と第２支柱２１を着脱自在に連結する連結機構３３を形成している。
このようであるから、フック３２とピン３１を嵌合、離脱する簡単な操作で第１支柱２０と第２支柱２１を係止、分離できる。
【００２６】
次に本発明の第２の実施の形態を説明する。
図４に示すように、第１支柱２０の基部をくの字形状、例えば略直角に折曲した形状とし、その折曲部分２０ｂの長さを第２支柱２１の左右寸法よりも大きくする。
一対の第１横材１０（縦片１０ｂ）の長手方向中間部の穴間に亘って第１軸２５を回転自在に横架支承し、カラー２６で抜け止めする。その第１軸２５の長手方向中間部に第１支柱２０の折曲部分２０ｂの端部を固着する。
【００２７】
このようにすれば、第１軸２５の中心（第１支柱２０の揺動中心）と第２軸２７の中心（第２支柱２１の揺動中心）を同一高さとして、水平姿勢の第２支柱２１に第１支柱２０を接して水平姿勢とすることができる。
【００２８】
次に本発明の第３の実施の形態を説明する。
図５に示すように、第１支柱２０の先端部と第２支柱２１の先端部をヒンジ４０で折曲自在に連結する。
棚材２２を円形パイプ形状とし、その棚材２２が嵌合する凹部４１を有するブラケット４２を一対の横材１０の長手方向端部に固着する。
前記ブラケット４２の凹部４１に第２支柱２２の最下部の棚材２２を嵌合することで、図５右側に示すように第１支柱２０と第２支柱２１は山形状に架台１に支持される。
【００２９】
第２支柱２１の最下部の棚材２２をブラケット４２の凹部４１から抜き出し、ヒンジ４０を中心として第１支柱２０に向けて矢印ｃ方向に揺動して第２支柱２１を第１支柱２０に重ね合せる。
この状態で第１支柱２０を下方に揺動することで、図５左側に示すように第１支柱２０の最上部に設けた棚材２２がブラケット４２の凹部４１に嵌合し、第１支柱２０と第２支柱２１は水平に重なり合って架台１に支持される。
【００３０】
前記各棚材２２には略半円形のクッション材４３が、第１支柱２０と第２支柱２１が山形状に架台１に支持された時にそのクッション材４３が上向きとなるように取付けてある。
【００３１】
図６に示すように、前記第２支柱２１の最下部の棚材２２の長手方向両端部にガイドローラ４４が取付けてあり、このガイドローラ４４を第１横材１０（横片１０ａ）に接して第２支柱２１を第１支柱２０側に揺動するようにしてある。
【００３２】
なお、第１支柱２０の先端部寄り又は第２支柱２１の先端部寄りを、基部寄りに対して上下揺動とし、第１支柱２０と第２支柱２１を山形状に支持した時に頂部が平坦である略山形状となるようにしても良い。
【００３３】
【発明の効果】
請求項１に係る発明によれば、連結機構３３で第１支柱２０の先端部と第２支柱２１の先端部を連結することで、その第１・第２支柱２０，２１を略山形状に架台１に支持することができ、第１・第２支柱２０，２１の棚材２２で上下方向に間隔を置いた複数の棚を有するパレットとなる。
このようであるから、各棚に複数のサッシ形材をそれぞれ載置してパレットとともに運搬できる。
また、第１支柱２０の先端部と第２支柱２１の先端部を分離すれば、第１・第２支柱２０，２１を略水平姿勢として架台１に収納することができ、その棚が邪魔にならずに複数のパレットを重ね合せることができる。
このようであるから、空のパレットの運搬効率が向上すると共に、保管スペースを小さくできる。
また、連結機構３３で連結、分離すると共に、第１支柱２０と第２支柱２１を上下に揺動することで略山形状と収納状態にできるので、操作が容易であるし、第１・第２支柱２０，２１、棚材２２が架台１から分離することがなく、それらを紛失することがない。
【００３５】
請求項２に係る発明によれば、ピン３１とフック３２を嵌合、離脱する簡単な操作で第１支柱２０の先端部と第２支柱２１の先端部を連結、分離できる。
【００３６】
請求項３に係る発明によれば、第２支柱２１の基部を架台１に係止すれば第１支柱２０と第２支柱２１を略山形状に架台１に支持することができ、第１・第２支柱２０，２１の棚材２２で上下方向に間隔を置いた複数の棚を有するパレットとなる。
このようであるから、各棚に複数のサッシ形材をそれぞれ載置してパレットと共に運搬できる。
また、第２支柱２１の基部を架台１から離脱することで、第２支柱２１を第１支柱２０に重ね合せ、第１・第２支柱２０，２１を下方に揺動して第１・第２支柱２０，２１を略水平姿勢として架台１に収納することができ、その棚が邪魔にならずに複数のパレットを重ね合せることができる。
このようであるから、空のパレットの運搬効率が向上すると共に、保管スペースを小さくできる。
また、第２支柱２１の基部を架台１に係脱し、第１支柱２０と第２支柱２１を上下に揺動することで略山形状と収納状態にできるので、操作が容易であるし、第１・第２支柱２０，２１、棚材２２が架台１から分離することがなく、それらを紛失することがない。
【図面の簡単な説明】
【図１】本発明の第１の実施の形態を示す正面図である。
【図２】本発明の第１の実施の形態を示す側面図である。
【図３】本発明の第１の実施の形態を示す平面図である。
【図４】本発明の第２の実施の形態を示す正面図である。
【図５】本発明の第３の実施の形態を示す正面図である。
【図６】図５のＡ部拡大平面図である。
【符号の説明】
１…架台、２…棚構成部材、３…棚式のパレット、２０…第１支柱、２１…第２支柱、２２…棚材、３１…ピン、３２…フック、３３…連結機構、４０…ヒンジ、４１…凹部、４２…ブラケット。
【図１】
0003733562.tif 000002
【図２】
0003733562.tif 000003
【図３】
0003733562.tif 000004
【図４】
0003733562.tif 000005
【図５】
0003733562.tif 000006
【図６】
0003733562.tif 000007